(57)【特許請求の範囲】
【請求項１】
走行用駆動源に設けられる電動モータと、
前記電動モータの制御を、制御目標を目標モータ回転数とする回転数制御と、制御目標を目標モータトルクとするトルク制御と、の間で切り替えるモータ制御切り替え手段と、
前記電動モータの制御を回転数制御からトルク制御に切り替える際、回転数制御の最終モータ出力トルクとトルク制御開始時の目標モータトルクのモータトルク差分に対し、アクセル踏み込みによる加速側では、加速要求に適合する加速用変化量制限値によりモータトルク変化の遅れ処理を行ない、アクセル足離しによるコースト減速中のときには、前記加速用変化量制限値よりも小さい値に設定したコースト用変化量制限値によりモータトルク変化の遅れ処理を行なう遅れ処理手段と、を備え、
前記遅れ処理手段は、少なくとも前記コースト用変化量制限値よりも大きい値に設定したバックアップ用変化量制限値を有し、前記コースト用変化量制限値が選択されているとき、所定時間を経過すると前記バックアップ用変化量制限値に切り替えてモータトルク変化の遅れ処理を行なう
ことを特徴とする電動車両の制御装置。
【請求項２】
請求項１に記載された電動車両の制御装置において、
前記遅れ処理手段は、前記バックアップ用変化量制限値を、前記加速用変化量制限値と前記コースト用変化量制限値の中間的な値に設定し、前記加速用変化量制限値が選択されているとき、第１設定時間を経過すると前記バックアップ用変化量制限値に切り替えてモータトルク変化の遅れ処理を行ない、前記コースト用変化量制限値が選択されているとき、第１設定時間より長い第２設定時間を経過すると前記バックアップ用変化量制限値に切り替えてモータトルク変化の遅れ処理を行なう
ことを特徴とする電動車両の制御装置。
【請求項３】
請求項１又は請求項２に記載された電動車両の制御装置において、
前記遅れ処理手段は、前記コースト用変化量制限値が選択されているとき、アクセル踏み込み操作が行われると、前記加速用変化量制限値の選択に切り替える
ことを特徴とする電動車両の制御装置。
【請求項４】
走行用駆動源に設けられる電動モータと、
前記電動モータの制御を、制御目標を目標モータ回転数とする回転数制御と、制御目標を目標モータトルクとするトルク制御と、の間で切り替えるモータ制御切り替え手段と、
前記電動モータの制御を回転数制御からトルク制御に切り替える際、回転数制御の最終モータ出力トルクとトルク制御開始時の目標モータトルクのモータトルク差分に対し、アクセル踏み込みによる加速側では、加速要求に適合する加速用変化量制限値によりモータトルク変化の遅れ処理を行ない、アクセル足離しによるコースト減速中のときには、前記加速用変化量制限値よりも小さい値に設定したコースト用変化量制限値によりモータトルク変化の遅れ処理を行なう遅れ処理手段と、を備え、
前記遅れ処理手段は、前記コースト用変化量制限値が選択されているとき、車速が所定車速未満になると、前記加速用変化量制限値の選択に切り替える
ことを特徴とする電動車両の制御装置。
【発明の詳細な説明】
【技術分野】
【０００１】
本発明は、回転数制御とトルク制御を行う電動モータを走行用駆動源に備える電動車両の制御装置に関する。
【背景技術】
【０００２】
従来、回転数制御とトルク制御を行う電動モータを走行用駆動源に備え、走行状況や車両状況に応じて回転数制御とトルク制御を切り替える制御を行うハイブリッド車両の駆動制御装置が知られている（例えば、特許文献１参照）。
この従来装置は、電動モータの制御を回転数制御からトルク制御に切り替える際、回転数制御の最終モータ出力トルクからトルク制御開始時の目標モータトルクに差が発生した場合、所定の変化率をつけてモータトルクを変化させる制御を行うようにしている。
【先行技術文献】
【特許文献】
【０００３】
【特許文献１】特開平１０−１７４２０９号公報
【発明の概要】
【発明が解決しようとする課題】
【０００４】
しかしながら、従来装置にあっては、モータ制御を切り替える際、モータトルクの変化を所定の変化率とする変化量制限値を、アクセル踏み込み時のダウン変速後に生じる大きなモータトルク差分に対し、高い復帰応答性を確保する値により与えるようにしている。このため、コースト減速中のローギヤ段へのダウン変速後、電動モータを回転数制御からトルク制御に切り替える際、プロペラシャフト等のパワートレイン系に捩れショックが発生しやすい、という問題があった。
【０００５】
本発明は、上記問題に着目してなされたもので、電動モータを回転数制御からトルク制御に切り替える際、加速側で切り替えレスポンスの向上を達成しながら、コースト減速中の切り替えに伴う捩れショックの発生を防止することができる電動車両の制御装置を提供することを目的とする。
【課題を解決するための手段】
【０００６】
上記目的を達成するため、本発明の電動車両の制御装置は、電動モータと、モータ制御切り替え手段と、遅れ処理手段と、を備える手段とした。
前記電動モータは、走行用駆動源に設けられる。
前記モータ制御切り替え手段は、前記電動モータの制御を、制御目標を目標モータ回転数とする回転数制御と、制御目標を目標モータトルクとするトルク制御と、の間で切り替える。
前記遅れ処理手段は、前記電動モータの制御を回転数制御からトルク制御に切り替える際、回転数制御の最終モータ出力トルクとトルク制御開始時の目標モータトルクのモータトルク差分に対し、アクセル踏み込みによる加速側では、加速要求に適合する加速用変化量制限値によりモータトルク変化の遅れ処理を行ない、アクセル足離しによるコースト減速中のときには、前記加速用変化量制限値よりも小さい値に設定したコースト用変化量制限値によりモータトルク変化の遅れ処理を行なう。そして、少なくとも前記コースト用変化量制限値よりも大きい値に設定したバックアップ用変化量制限値を有し、前記コースト用変化量制限値が選択されているとき、所定時間を経過すると前記バックアップ用変化量制限値に切り替えてモータトルク変化の遅れ処理を行なう。
【発明の効果】
【０００７】
よって、電動モータの制御を回転数制御からトルク制御に切り替える際、アクセル踏み込みによる加速側では、モータトルク差分に対し、加速要求に適合する加速用変化量制限値によりモータトルク変化の遅れ処理が行われる。
したがって、大きなモータトルク差分になることがある加速側では、アクセル踏み込み操作にあらわれるドライバーの加速要求に応え、モータトルク差分が急勾配のトルク変化により繋がれることで、回転数制御からトルク制御への切り替えレスポンスが向上する。
一方、電動モータの制御を回転数制御からトルク制御に切り替える際、アクセル足離しによるコースト減速中のときには、モータトルク差分に対し、加速用変化量制限値よりも小さいコースト用変化量制限値によりモータトルク変化の遅れ処理が行われる。
したがって、コースト減速中のときには、捩れ振動によるショック感度が高いアクセル足離し状況であることに応え、モータトルク差分が緩勾配のトルク変化によりゆっくり繋がれることで、モータ制御の切り替えに伴う捩れショックの発生が防止される。
この結果、電動モータを回転数制御からトルク制御に切り替える際、加速側で切り替えレスポンスの向上を達成しながら、コースト減速中の切り替えに伴う捩れショックの発生を防止することができる。
そして、コースト用変化量制限値が選択されているとき、所定時間を経過するとコースト用変化量制限値よりも大きい値に設定したバックアップ用変化量制限値に切り替えてモータトルク変化の遅れ処理が行われる。このため、コースト減速中の遅れ処理において、捩れショックの防止を確保しつつ、回転数制御からトルク制御への切り替えレスポンスを改善することができる。
【図面の簡単な説明】
【０００８】
【図１】実施例１の制御装置が適用されたハイブリッド車両のパワートレインを示すパワートレイン構成図である。
【図２】実施例１の制御装置が適用されたハイブリッド車両の制御システムを示す制御システム構成図である。
【図３】実施例１の統合コントローラを示す演算ブロック図である。
【図４】実施例１の制御装置で用いられる定常目標トルクマップ(a)とMGアシストトルクマップ(b)を示すマップ図である。
【図５】実施例１の制御装置で用いられるエンジン始動停止線マップを示すマップ図である。
【図６】実施例１の制御装置で用いられるバッテリSOCに対する走行中要求発電出力を示す特性図である。
【図７】実施例１の制御装置で用いられるエンジンの最良燃費線を示す特性図である。
【図８】実施例１の自動変速機における変速線の一例を示す変速マップ図である。
【図９】実施例１の統合コントローラの変速制御部にて実行される変速制御処理の構成と流れを示すフローチャートである。
【図１０】実施例１のモータコントローラにてメインルーチンとして実行される回転数制御とトルク制御の切り替え処理の構成と流れを示すフローチャートである。
【図１１】実施例１のモータコントローラにてモータジェネレータを回転数制御からトルク制御に切り替える際にサブルーチンとして実行されるモータトルク変化の遅れ処理の構成と流れを示すフローチャートである。
【図１２】実施例１の制御装置を搭載したハイブリッド車両がアクセル踏み込みによる加速側でモータジェネレータが回転数制御からトルク制御に切り替えられるときのアクセル開度（APO）・回転数制御フラグ・ギヤ段・回転・トルク・加速度の各特性を示すタイムチャートである。
【図１３】実施例１の制御装置を搭載したハイブリッド車両がアクセル足離しによるコースト減速中にモータジェネレータが回転数制御からトルク制御に切り替えられるときのアクセル開度（APO）・回転数制御フラグ・ギヤ段・回転・トルク・加速度の各特性を示すタイムチャートである。
【発明を実施するための形態】
【０００９】
以下、本発明の電動車両の制御装置を実現する最良の形態を、図面に示す実施例１に基づいて説明する。
【実施例１】
【００１０】
まず、構成を説明する。
図１は、実施例１の制御装置が適用されたハイブリッド車両（電動車両の一例）のパワートレインを示すパワートレイン構成図である。以下、図１に基づき、パワートレイン構成を説明する。
【００１１】
実施例１のハイブリッド車両のパワートレイン系には、図１に示すように、エンジン１と、モータジェネレータ２（電動モータ；以下、「MG」と記載する。）と、自動変速機３（以下、「AT」と記載する。）と、第１クラッチ４（以下、「CL1」と記載する。）と、第２クラッチ５（以下、「CL2」と記載する。）と、ディファレンシャルギア６と、タイヤ７，７と、を備えている。つまり、エンジン１と１モータ・２クラッチをパワートレイン系に備えた構成としている。
【００１２】
前記エンジン１は、エンジン出力軸とモータジェネレータ２のモータ入力軸とが、トルク容量可変の第１クラッチ４を介して連結される。前記モータジェネレータ２は、モータ出力軸と自動変速機３の変速機入力軸とが、直接連結される。前記自動変速機３は、変速機出力軸にディファレンシャルギア６を介して駆動輪であるタイヤ７，７が連結される。
【００１３】
前記第２クラッチ５は、自動変速機３のシフト状態に応じて異なる変速機内の動力伝達を担っているトルク容量可変のクラッチ・ブレーキによる複数の摩擦締結要素のうち、１つの摩擦締結要素を選択して用いている。これにより自動変速機３は、第１クラッチ４を介して入力されるエンジン１の動力と、モータジェネレータ２から入力される動力と、を合成してタイヤ７，７へ出力する。
【００１４】
前記第１クラッチ４としては、例えば、比例ソレノイドで油流量および油圧を連続的に制御できる乾式単板クラッチや乾式多板クラッチ等を用いればよい。前記第２クラッチ５としては、例えば、比例ソレノイドで油流量および油圧を連続的に制御できる湿式多板クラッチや湿式多板ブレーキ等を用いればよい。このパワートレイン系には、第１クラッチ４の接続状態に応じて２つの運転モードがあり、第１クラッチ４を切断したCL1開放状態では、モータジェネレータ２の動力のみで走行するEVモード（電気自動車走行モード）である。一方、第１クラッチ４を接続したCL1締結状態では、エンジン１とモータジェネレータ２の動力で走行するHEVモード（ハイブリッド車走行モード）である。
【００１５】
前記パワートレインには、エンジン１の回転数を検出するエンジン回転センサ１０と、モータジェネレータ２の回転数を検出するMG回転センサ１１と、自動変速機３の入力軸回転数を検出するAT入力回転センサ１２と、自動変速機３の出力軸回転数を検出するAT出力回転センサ１３と、が設けられる。
【００１６】
図２は、実施例１の制御装置が適用されたハイブリッド車両の制御システムを示す制御システム構成図である。以下、図２に基づいて、制御システム構成を説明する。
【００１７】
実施例１の制御システムは、図２に示すように、統合コントローラ２０と、エンジンコントローラ２１と、モータコントローラ２２と、インバータ８と、バッテリ９と、ソレノイドバルブ１４と、ソレノイドバルブ１５と、アクセル開度センサ１７と、ブレーキ油圧センサ２３と、SOCセンサ１６と、を備えている。
【００１８】
前記統合コントローラ２０は、パワートレイン系の動作点を統合制御する。この統合コントローラ２０では、アクセル開度APOと、バッテリ充電状態SOCと、車速VSP（自動変速機出力軸回転数に比例）と、に応じて、運転者が望む駆動力を実現できる運転モードを選択する。そして、選択した運転モードに応じ、モータコントローラ２２に対し目標MGトルクもしくは目標MG回転数を指令し、エンジンコントローラ２１に対し目標エンジントルクを指令し、ソレノイドバルブ１４，１５に対し駆動信号を指令する。
【００１９】
前記エンジンコントローラ２１は、エンジン１を制御する。前記モータコントローラ２２は、モータジェネレータ２を制御する。前記インバータ８は、モータジェネレータ２を駆動する。前記バッテリ９は、電気エネルギーを蓄える。前記ソレノイドバルブ１４は、第１クラッチ４の油圧を制御する。前記ソレノイドバルブ１５は、第２クラッチ５の油圧を制御する。前記アクセル開度センサ１７は、アクセル開度(APO)を検出する。前記ブレーキ油圧センサ２３は、ブレーキ油圧（BPS）を検出する。前記SOCセンサ１６は、バッテリ９の充電容量状態を検出する。
【００２０】
図３は、実施例１の統合コントローラ２０を示す演算ブロック図である。以下、図３に基づいて、統合コントローラ２０の構成を説明する。
【００２１】
前記統合コントローラ２０は、図３に示すように、目標駆動トルク演算部100と、モード選択部200と、目標発電出力演算部300と、動作点指令部400と、変速制御部500と、を備えている。
【００２２】
前記目標駆動トルク演算部100は、図４(a)に示す目標定常駆動トルクマップと、図４(b)に示すMGアシストトルクマップを用いて、アクセル開度APOと車速VSPから、目標定常駆動トルクとMGアシストトルクを算出する。
【００２３】
前記モード選択部200は、車速VSPおよびアクセル開度APOと、図５に示すエンジン始動停止線マップと、を用いて、運転モード（HEVモード、EVモード）を演算する。エンジン始動線とエンジン停止線は、エンジン始動線（SOC高、SOC低）とエンジン停止線（SOC高、SOC低）の特性に代表されるように、バッテリSOCが低くなるにつれて、アクセル開度APOが小さくなる方向に低下する特性として設定されている。なお、エンジン始動は、EVモード状態で図５に示すエンジン始動線をアクセル開度APOと車速VSPによる運転点が超えた時点で、スリップ締結状態が実現可能なように第２クラッチ５の締結トルク容量をドライバー要求駆動トルク相当に制御する。そして、第２クラッチ５がスリップ開始したとの判断後に第１クラッチ４の締結を開始してエンジン回転を上昇させる。エンジン回転が初爆可能な回転数に達成したらエンジン１を燃焼作動させ、モータ回転数とエンジン回転数が近くなった時点で第１クラッチ４を完全に締結する。その後、第２クラッチ５をロックアップさせてHEVモードに遷移させる処理により行われる。
【００２４】
前記目標発電出力演算部300は、図６に示す走行中発電要求出力マップを用いて、バッテリSOCから目標発電出力を演算する。また、現在の動作点から図７で示す最良燃費線までエンジントルクを上げるために必要な出力を演算し、前記目標発電出力と比較して少ない出力を要求出力として、エンジン出力に加算する。
【００２５】
前記動作点指令部400では、アクセル開度APOと目標定常トルク，MGアシストトルクと目標モードと車速VSPと要求発電出力とを入力する。そして、これらの入力情報を動作点到達目標として、過渡的な目標エンジントルクと目標MGトルクと目標CL2トルク容量と目標変速比とCL1ソレノイド電流指令を演算する。
【００２６】
前記変速制御部500は、目標CL2トルク容量と目標変速比とから、これらを達成するように自動変速機３内のソレノイドバルブを駆動制御する。図８に変速制御で用いられる変速線マップの一例を示す。変速制御は、車速VSPとアクセル開度APOによる運転点と変速線マップに基づいて、現在のギヤ段から次ギヤ段をどのギヤ段にするかを判定する。そして、運転点が変速線マップのアップ変速線（図８の実線）またはダウン変速線（図８の点線）を横切るとアップ変速要求またはダウン変速要求を出し、変速要求に対応する自動変速機３の摩擦締結要素を締結/開放制御して変速させる。なお、実施例１では、変速時に自動変速機３の入力側に有するモータジェネレータ２による回転数制御を加えることで、油圧制御だけによる変速制御の場合に比べ、イナーシャフェーズ領域でのギヤ比変化を滑らかにする変速制御を行うようにしている。
【００２７】
図９は、実施例１の統合コントローラ２０の変速制御部500にて実行される変速制御処理の構成と流れを示す。以下、図９の各ステップについて説明する。
【００２８】
ステップＳ１では、現ギヤ段と次ギヤ段が異なっていて、現ギヤ段から次ギヤ段への変速開始、もしくは、変速中であるか否かを判断する。YES（変速開始、もしくは、変速中）の場合はステップＳ２へ進み、NO（ギヤ段固定）の場合はリターンへ進む。
【００２９】
ステップＳ２では、ステップＳ１での変速開始、もしくは、変速中であるとの判断に続き、変速時開放クラッチに開放指令を出力し、ステップＳ３へ進む。
ここで、変速に際しては、そのときの変速に関与する２つのクラッチのうち、一方のクラッチを開放し、他方のクラッチを締結するクラッチ掛け替えにより行われる。このクラッチ掛け替え時の開放側クラッチを「変速時開放クラッチ」といい、締結側クラッチを「変速時締結クラッチ」という。
【００３０】
ステップＳ３では、ステップＳ２での変速時開放クラッチへの開放指令出力に続き、スリップ判定成立（自動変速機３の入力回転数と出力回転数の差が、確実にクラッチスリップしていると判定できる回転差閾値になった場合）であるか否かを判断する。YES（スリップ判定成立）の場合はステップＳ４へ進み、NO（スリップ判定不成立）の場合はリターンへ進む。
ここで、変速制御は、変速開始フェーズ→トルクフェーズ→イナーシャフェーズ→変速終了フェーズを経過して行われるが、イナーシャフェーズが開始されると自動変速機３の入力回転数と出力回転数に差が生じる。よって、このスリップ判定は、言い換えると、イナーシャフェーズ領域に入ったイナーシャフェーズ開始判定ということができる。
【００３１】
ステップＳ４では、ステップＳ３でのスリップ判定成立であるとの判断に続き、回転数制御フラグを、回転数制御フラグ＝０（トルク制御）から回転数制御フラグ＝１（回転数制御）に書き換え、ステップＳ５へ進む。
【００３２】
ステップＳ５では、ステップＳ４での回転数制御フラグ＝１への書き換えに続き、変速時締結クラッチに締結指令を出力し、ステップＳ６へ進む。
【００３３】
ステップＳ６では、ステップＳ５での変速時締結クラッチへの締結指令出力に続き、回転数制御フラグ＝０（図１０のステップＳ２５）、かつ、変速処理終了であるか否かを判断する。YES（変速終了条件成立）の場合はステップＳ７へ進み、NO（変速終了条件不成立）の場合はリターンへ進む。
ここで、変速処理終了は、例えば、変速時開放クラッチが完全開放で、変速時締結クラッチの油圧が所定値以上となった時をいう。
【００３４】
ステップＳ７では、ステップＳ６での変速終了条件成立であるとの判断に続き、変速を終了し、リターンへ進む。
【００３５】
図１０は、実施例１のモータコントローラ２２にてメインルーチンとして実行される回転数制御とトルク制御の切り替え処理の構成と流れを示す（モータ制御切り替え手段）。以下、図１０の各ステップについて説明する。
【００３６】
ステップＳ２０では、回転数制御フラグ＝１であるか否かを判断する。YES（回転数制御フラグ＝１）の場合はステップＳ２１へ進み、NO（回転数制御フラグ＝０）の場合はステップＳ２６へ進む。
つまり、変速制御処理を示す図９のステップＳ４にて回転数制御フラグ＝１に書き換えられるとYESと判断され、後述するステップＳ２５にて回転数制御フラグ＝０に書き換えられるとNOと判断される。
【００３７】
ステップＳ２１では、ステップＳ２０での回転数制御フラグ＝１であるとの判断に続き、現ギヤ段と次ギヤ段で決まる変速モードに応じ、エンジン１にて実現する目標エンジントルクを算出し、ステップＳ２２へ進む。
【００３８】
ステップＳ２２では、ステップＳ２１での目標エンジントルクの算出に続き、現ギヤ段と次ギヤ段で決まる変速モードに応じ、モータジェネレータ２にて実現する目標MG回転数を算出し、ステップＳ２３へ進む。
ここで、回転数制御の目標値である目標MG回転数は、アップ変速の場合、現ギヤ段での変速機入力回転数から徐々に次ギヤ段での変速機入力回転数まで低下するように算出される。一方、ダウン変速の場合、現ギヤ段での変速機入力回転数から徐々に次ギヤ段での変速機入力回転数まで上昇するように算出される。
【００３９】
ステップＳ２３では、ステップＳ２２での目標回転数算出に続き、目標回転数に追従するようにモータトルクを算出し、ステップＳ２４へ進む。
【００４０】
ステップＳ２４では、ステップＳ２３でのモータトルクの算出に続き、回転数制御終了条件が成立しているか否かを判断する。YES（回転数制御終了条件成立）の場合はステップＳ２５へ進み、NO（回転数制御終了条件不成立）の場合はリターンへ進む。
ここで、回転数制御終了条件成立とは、変速後の次ギヤ段でのギヤ比により決まる変速機入力回転数と変速機出力回転数の差が、ロックアップしていると判定できる回転差になったときをいう。言い換えると、変速機入力回転数が、変速後の次ギヤ段による変速機入力回転数に収束し、イナーシャフェーズ領域から抜け出したイナーシャフェーズ終了を判定していることになる。
【００４１】
ステップＳ２５では、ステップＳ２４での回転数制御終了条件成立であるとの判断に続き、回転数制御フラグを、回転数制御フラグ＝１（回転数制御）から回転数制御フラグ＝０（トルク制御）に書き換え、リターンへ進む。
【００４２】
ステップＳ２６では、ステップＳ２０での回転数制御フラグ＝０であるとの判断に続き、トルク制御を行う場合の目標値である目標エンジントルクと目標モータトルクを算出し、ステップＳ２７へ進む。
【００４３】
ステップＳ２７では、ステップＳ２６での目標エンジントルク・目標モータトルクの算出に続き、回転数制御フラグの前回値が回転数制御フラグ＝１で、かつ、今回値が回転数制御フラグ＝０であるか否か、つまり、回転数制御からトルク制御への切り替え開始条件が成立しているか否かを判断する。YES（切り替え開始条件成立）の場合はステップＳ２８へ進み、NO（切り替え開始条件不成立）の場合はステップＳ２９へ進む。
【００４４】
ステップＳ２８では、ステップＳ２７での切り替え開始条件成立であるとの判断に続き、バックアップ用変化量制限値を選択するまでの時間を計測するタイマーをリセットし、ステップＳ３０へ進む。
【００４５】
ステップＳ２９では、ステップＳ２７での切り替え開始条件不成立であるとの判断に続き、図１１に示すサブルーチンのフローチャートに基づく変化量制限値の選択による遅れ処理中であるか否かを判断する。YES（遅れ処理中）の場合はステップＳ３０へ進み、NO（遅れ処理終了）の場合はリターンへ進む。
この遅れ処理とは、回転数制御からトルク制御へ切り替える際、トルク制御での目標モータトルクと回転数制御終了時のモータトルクとの間には差分が残っているため、このトルク差分を緩やかな変化勾配にて繋ぐ処理である。
【００４６】
ステップＳ３０では、ステップＳ２８でのタイマーリセット、あるいは、ステップＳ２９での遅れ処理中であるとの判断に続き、タイマーカウントを開始し、ステップＳ３１へ進む。
【００４７】
ステップＳ３１では、ステップＳ３０でのタイマーカウント開始に続き、図１１のサブルーチンで決まったタイムアウト時間を選択し、ステップＳ３２へ進む。
【００４８】
ステップＳ３２では、ステップＳ３１でのタイムアウト時間の選択に続き、タイマーカウントによるタイマー値（回転数制御からトルク制御に切り替えてからの経過時間をあらわす）が、選択されたタイムアウト時間を超えているか否かを判断する。YES（タイマー＞タイムアウト時間）の場合はステップＳ３３へ進み、NO（タイマー≦タイムアウト時間）の場合はステップＳ３４へ進む。
【００４９】
ステップＳ３３では、ステップＳ３２でのタイマー＞タイムアウト時間であるとの判断に続き、サブルーチンで選択される変化量制限値に代え、バックアップ用変化量制限値を選択し、ステップＳ３５へ進む。
ここで、バックアップ用変化量制限値は、少なくともコースト用変化量制限値よりも大きな値で、加速用変化量制限値とコースト用変化量制限値の中間的な値に設定される。つまり、コースト用変化量制限値＜バックアップ用変化量制限値＜加速用変化量制限値という大小関係を持たせてそれぞれの値が設定される。
【００５０】
ステップＳ３４では、ステップＳ３２でのタイマー≦タイムアウト時間であるとの判断に続き、サブルーチンで決まった変化量制限値（加速用変化量制限値またはコースト用変化量制限値）を選択し、ステップＳ３５へ進む。
【００５１】
ステップＳ３５では、ステップＳ３３またはステップＳ３４での変化量制限値の選択に続き、トルク制御での目標モータトルクと回転数制御終了時のモータトルクの差分に対し選択した変化量制限値による遅れ処理を行い、リターンへ進む。
【００５２】
図１１は、実施例１のモータコントローラ２２にてモータジェネレータ２を回転数制御からトルク制御に切り替える際にサブルーチンとして実行されるモータトルク変化の遅れ処理の構成と流れを示す（遅れ処理手段）。以下、図１１の各ステップについて説明する。
【００５３】
ステップＳ291では、アクセル足離しによるコースト減速中であるか否かを判断する。YES（コースト減速中）の場合はステップＳ292へ進み、NO（加速側）の場合はステップＳ295へ進む。
【００５４】
ステップＳ292では、ステップＳ291でのコースト減速中であるとの判断に続き、車速が下限値以上であるか否かを判断する。YES（車速≧下限値）の場合はステップＳ293へ進み、NO（車速＜下限値）の場合はステップＳ295へ進む。
ここで、「下限値」は、クリープトルクが正トルクとなる車速で設定する。
【００５５】
ステップＳ293では、ステップＳ292での車速≧下限値であるとの判断に続き、加速用変化量制限値よりも小さい値であり、トルク変化勾配が緩やかになるように設定したコースト用変化量制限値を選択し、ステップＳ294へ進む。
【００５６】
ステップＳ294では、ステップＳ293でのコースト用変化量制限値の選択に続き、加速用タイマー時間（第１設定時間）より長いコースト用タイマー時間（第２設定時間）を選択し、リターンへ進む。
【００５７】
ステップＳ295では、ステップＳ291での加速側であるとの判断、あるいは、ステップＳ292での車速＜下限値であるとの判断に続き、コースト用変化量制限値よりも大きく加速要求に適合する値であり、トルク変化勾配が急になるように設定した加速用変化量制限値を選択し、ステップＳ296へ進む。
【００５８】
ステップＳ296では、ステップＳ295での加速用変化量制限値の選択に続き、コースト用タイマー時間（第２設定時間）よりも短い加速用タイマー時間（第１設定時間）を選択し、リターンへ進む。
【００５９】
次に、作用を説明する。
まず、「比較例の課題」の説明を行う。続いて、実施例１のハイブリッド車両の制御装置における作用を、「変速制御時におけるモータ制御切り替え作用」、「モータ制御切り替え時のトルク変化遅れ処理作用」、「遅れ処理中にバックアップ用変化量制限値への切り替え作用」、「コースト用変化量制限値から加速用変化量制限値への切り替え作用」に分けて説明する。
【００６０】
［比較例の課題］
モータ制御を切り替える際にトルク変化量を制限する変化量制限値を、アクセル踏み込み時のダウン変速後に生じる大きなモータトルク差分に対し、高応答速度による復帰レスポンスを確保する一つの大きな値により与えるものを比較例１とする。
この比較例１の場合、加速側に適合する変化量制限値ではあるが、コースト側には変化量制限値が大き過ぎてしまい、モータトルク差分を繋ぐトルク変化勾配が急になる。このため、コースト減速中のローギヤ段へのダウン変速後の回転数制御からトルク制御に切り替わる際、プロペラシャフト等のパワートレイン系の捩れショックが発生しやすい。
【００６１】
モータ制御を切り替える際にトルク変化量を制限する変化量制限値を、コースト減速中のダウン変速後に生じるモータトルク差分に対し、捩れショックの発生を抑える一つの小さな値により与えるものを比較例２とする。
この比較例２の場合、コースト側に適合する変化量制限値ではあるが、加速側には変化量制限値が小さ過ぎてしまい、モータトルク差分を繋ぐトルク変化勾配が緩やかになる。このため、アクセル踏み込み時のダウン変速後に生じる大きなモータトルク差分に対し、高応答速度による復帰レスポンスを確保することができず、ドライバーの加速要求に応えることができない。
【００６２】
そこで、モータ制御を切り替える際にトルク変化量を制限する変化量制限値を、比較例１の値と比較例２の値の中間値により与えるものを比較例３とする。
この比較例３の場合、回転数制御からトルク制御に切り替える際、変化量制限値が一つの中間値により与えられ、モータトルク差分を繋ぐトルク変化勾配が比較例１よりも緩やかで比較例２よりも急になる。このため、加速側においては、大きなモータトルク差分に対して、比較例２よりも応答速度を速くすることができるものの、大きなモータトルク差分の発生に対しドライバーが要求する復帰レスポンスを確保するまでには至らない。一方、コースト側においては、比較例１よりもトルク変化勾配を緩やかになるものの、ショック感度が高いコースト状態で捩れショックを防止するまでには至らない。
【００６３】
このように、比較例１，２，３の場合、一つの変化量制限値の設定によりモータトルク差分を繋ぐようにしているため、比較例１，２の場合は、一方の性能要求は満足するものの、他方の性能要求を満足できない。そして、比較例３の場合、加速側での大きなモータトルク差分の発生やコースト側での高いショック感度を考慮していない妥協的な値の設定になる。このため、２つの性能要求を同時に満足するには至らなく、逆に、２つの課題を同時に露呈させてしまう結果になる。
【００６４】
［変速制御時におけるモータ制御切り替え作用］
上記のように、本技術は、モータ制御を回転数制御からトルク制御に切り替える際、モータトルク差分を、如何に繋ぐかに係るものである。以下、前提となる変速制御時におけるモータ制御切り替え作用を説明する。
【００６５】
まず、変速開始もしくは変速中であるがイナーシャフェーズが開始されてなくスリップ判定不成立である間は、図９のフローチャートにおいて、ステップＳ１→ステップＳ２→ステップＳ３→リターンへと進む流れが繰り返される。つまり、変速動作としては、ステップＳ２において、変速時開放クラッチに対し開放指令が出力されるだけである。
【００６６】
そして、イナーシャフェーズが開始されることでスリップ判定が成立すると、図９のフローチャートにおいて、ステップＳ１→ステップＳ２→ステップＳ３→ステップＳ４→ステップＳ５→ステップＳ６→リターンへと進む流れが繰り返される。つまり、イナーシャフェーズの開始が判定されると、ステップＳ４において、回転数制御フラグが０から１に書き換えられ、トルク制御から回転数制御へと切り替えられる。さらに、ステップＳ２とステップＳ５において、変速時開放クラッチと変速時締結クラッチに対し指令を出力することにより変速の進行が図られる。
【００６７】
そして、変速終了条件が成立すると、図９のフローチャートにおいて、ステップＳ１→ステップＳ２→ステップＳ３→ステップＳ４→ステップＳ５→ステップＳ６→ステップＳ７→リターンへと進み、ステップＳ７にて変速を終了する。変速を終了すると、次回からは、図９のフローチャートにおいて、ステップＳ１→リターンへと進む流れが、次の変速が開始されるまで繰り返される。
【００６８】
図９の変速制御処理のステップＳ４において、回転数制御フラグが０から１に書き換えられると、図１０のフローチャートにおいて、ステップＳ２０→ステップＳ２１→ステップＳ２２→ステップＳ２３→ステップＳ２４→リターンへと進む流れが繰り返される。すなわち、ステップＳ２４にて回転数制御終了条件が成立するまで、目標値を目標MG回転数とする回転数制御が継続されることになる。
【００６９】
そして、変速制御でのイナーシャフェーズが終了し、ステップＳ２４にて回転数制御終了条件が成立すると、図１０のフローチャートにおいて、ステップＳ２４からステップＳ２５→リターンへと進む。つまり、イナーシャフェーズの終了が判定されると、ステップＳ２５において、回転数制御フラグが１から０に書き換えられ、回転数制御からトルク制御へと切り替えられる。
【００７０】
そして、次の制御周期では、図１０のフローチャートにおいて、ステップＳ２０からステップＳ２６以降へ進む。つまり、回転数制御からトルク制御へと切り替えの際、トルク制御での目標モータトルクと回転数制御終了時のモータトルクの差分に対し選択した変化量制限値による遅れ処理を挟んでトルク制御が開始される。
【００７１】
上記のように、モータ制御は、変速制御でイナーシャフェーズが開始するまではトルク制御が維持され、イナーシャフェーズが開始するとトルク制御から回転数制御に切り替えられ、イナーシャフェーズが終了するまで回転数制御が維持される。そして、イナーシャフェーズが終了すると、回転数制御からトルク制御に切り替えられ、この切り替えの際、トルク制御での目標モータトルクと回転数制御終了時のモータトルク差分に対し、選択した変化量制限値による遅れ処理が行われる。
【００７２】
［モータ制御切り替え時のトルク変化遅れ処理作用］
上記比較例１，２，３の課題を解決するには、加速側で復帰レスポンスを確保しながら、コースト減速中における捩れショックの防止を達成する工夫が必要である。以下、これを反映するモータ制御切り替え時のトルク変化遅れ処理作用を説明する。
【００７３】
モータジェネレータ２の制御が、回転数制御からトルク制御へと切り替えられると、最初の制御周期は、図１０のフローチャートにおいて、ステップＳ２０→ステップＳ２６→ステップＳ２７→ステップＳ２８へ進み、ステップＳ２８において、タイマーリセットされる。そして、次の制御周期からは、図１０のフローチャートにおいて、ステップＳ２０→ステップＳ２６→ステップＳ２７→ステップＳ２９へ進み、ステップＳ２９において、図１１に示すサブルーチンのフローチャートにより遅れ処理が行われる。以下、回転数制御からトルク制御へ切り替えられた際、「加速側であるとき」と「コースト減速中であるとき」に分けてトルク変化遅れ処理作用を説明する。
【００７４】
・加速側であるとき
回転数制御からトルク制御へ切り替えられた際、アクセル踏み込みによる加速側であるときは、図１１のフローチャートにおいて、ステップＳ291→ステップＳ295→ステップＳ296→リターンへと進む流れが繰り返される。このとき、ステップＳ295では、加速用変化量制限値が選択され、ステップＳ296では、加速用タイマー時間が選択される。
そして、図１０のステップＳ２９からステップＳ３０→ステップＳ３１→ステップＳ３２→ステップＳ３４→ステップＳ３５→リターンへと進む流れが繰り返される。つまり、遅れ処理の開始に合わせて開始されたタイマー時間が、選択された加速用タイマー時間を超えるまでは、サブルーチンにより選択された加速用変化量制限値により、モータトルク差分に対しモータトルク変化の遅れ処理が行われる。
したがって、大きなモータトルク差分になることがある加速側では、アクセル踏み込み操作にあらわれるドライバーの加速要求に応え、モータトルク差分が急勾配のトルク変化により繋がれることで、回転数制御からトルク制御への切り替えレスポンスが向上する。
【００７５】
以下、加速側でモータジェネレータ２が回転数制御からトルク制御に切り替えられるときの各特性をあらわす図１２のタイムチャートを用い、加速側でのトルク変化遅れ処理作用を説明する。
図１２において、時刻t1はアクセル踏み込み開始時を示す。時刻t2はアクセル踏み込み終了時と３速から２速へのダウン変速要求時を示す。時刻t3はトルク制御から回転数制御への切り替え時を示す。時刻t4は回転数制御からトルク制御への切り替え時を示す。時刻t5は加速用タイマー時間Taの終了時を示す。時刻t6は加速側遅れ処理時間Tbの終了時を示す。時刻t7は比較例２での遅れ処理時間Tcの終了時を示す。
【００７６】
加速側での３→２ダウン変速時には、回転数制御からトルク制御への切り替える際、負のモータトルクから正の目標トルクまでの大きなモータトルク差分になる。このとき、比較例２のように、小さい値による変化量制限値によりモータトルク変化の遅れ処理を行うと、切り替え時刻t4から目標モータトルクに到達する時刻t7までは、図１２の細実線のモータトルク特性に示すように、緩勾配のモータトルク変化により繋がれる。つまり、回転数制御からトルク制御への切り替えに要する遅れ処理時間としてTcを要する。加えて、図１２の点線による加速度特性に示すように、遅れ処理時間Tcにおける車両の加速度上昇が緩やかとなり、ドライバーの加速要求に応えることができない。
【００７７】
これに対し、実施例１のように、加速要求に適合する加速用変化量制限値によりモータトルク変化の遅れ処理を行うと、切り替え時刻t4から加速用タイマー時間Taの終了時刻t5までは、図１２の太実線のモータトルク特性に示すように、急勾配のモータトルク変化により繋がれる。そして、加速用タイマー時間Taの終了時刻t5において、モータトルクが目標モータトルクに近い値まで上昇し、時刻t6にてトルク制御での目標モータトルクに到達する。つまり、回転数制御からトルク制御への切り替えに要する遅れ処理時間がTbとなり、比較例２の遅れ処理時間Tcに比べて大幅に短縮されるというように、回転数制御からトルク制御への切り替えレスポンスが向上する。加えて、図１２の実線による加速度特性に示すように、遅れ処理時間がTbにおける車両の加速度上昇が急となり、アクセル踏み込み操作にあらわれるドライバーの加速要求に応えることができる。
【００７８】
・コースト減速中であるとき
一方、回転数制御からトルク制御へ切り替えられた際、アクセル足離しによるコースト減速中であるときは、図１１のフローチャートにおいて、ステップＳ291→ステップＳ292→ステップＳ293→ステップＳ294→リターンへと進む流れが繰り返される。このとき、ステップＳ293では、コースト用変化量制限値が選択され、ステップＳ294では、コースト用タイマー時間が選択される。
そして、図１０のステップＳ２９からステップＳ３０→ステップＳ３１→ステップＳ３２→ステップＳ３４→ステップＳ３５→リターンへと進む流れが繰り返される。つまり、遅れ処理の開始に合わせて開始されたタイマー時間が、選択されたコースト用タイマー時間を超えるまでは、サブルーチンにより選択された加速用変化量制限値よりも小さいコースト用変化量制限値により、モータトルク差分に対しモータトルク変化の遅れ処理が行われる。
したがって、コースト減速中のときには、捩れ振動によるショック感度が高いアクセル足離し状況であることに応え、モータトルク差分が緩勾配のトルク変化によりゆっくり繋がれることで、モータ制御の切り替えに伴う捩れショックの発生が防止される。
【００７９】
以下、コースト減速中のときにモータジェネレータ２が回転数制御からトルク制御に切り替えられるときの各特性をあらわす図１３のタイムチャートを用い、コースト減速中でのトルク変化遅れ処理作用を説明する。
図１３において、時刻t1はアクセル足離し開始時を示す。時刻t2はアクセル足離し終了時を示す。時刻t3は３速から２速へのダウン変速要求時を示す。時刻t4はトルク制御から回転数制御への切り替え時を示す。時刻t5は回転数制御からトルク制御への切り替え時を示す。時刻t6は比較例３での遅れ処理の終了時を示す。時刻t7はコースト用タイマー時間Tdの終了時を示す。時刻t8はコースト減速中遅れ処理時間Teの終了時を示す。時刻t9はバックアップ処理を行わない時のコースト減速中遅れ処理時間Tfの終了時を示す。
【００８０】
コースト減速中における３→２ダウン変速時には、回転数制御からトルク制御への切り替える際、負のモータトルクから負の目標モータトルク（２速）までの負のトルク領域での小さなモータトルク差分になる。このとき、比較例３のように、中間値による変化量制限値によりモータトルク変化の遅れ処理を行うと、切り替え時刻t5から目標モータトルクに到達する時刻t6までは、図１３の細実線のモータトルク特性に示すように、中間勾配のモータトルク変化により繋がれる。つまり、捩れ振動によるショックの感度が高いコースト減速中であるにもかかわらず、回転数制御からトルク制御に切り替わる際のトルク差分が予想以上の急勾配によるトルク変化で繋がれる。このため、図１２の点線による加速度特性に示すように、時刻t6の直前領域にて加速度が急変する突き上げが生じ、ドライバーに捩れショック感を与えてしまう。
【００８１】
これに対し、実施例１のように、加速用変化量制限値より小さいコースト用変化量制限値によりモータトルク変化の遅れ処理を行うと、切り替え時刻t5からコースト用タイマー時間Tdの終了時刻t7までは、図１３の太線のモータトルク特性に示すように、かなり緩やかなモータトルク変化により繋がれる。つまり、捩れ振動によるショックの感度が高いコースト減速中であることに対応し、回転数制御からトルク制御に切り替わる際のトルク差分が緩勾配のトルク変化によりゆっくり繋がれる。このため、図１３の実線による加速度特性に示すように、時刻t7の直前領域にて、ドライバーに捩れショック感を与えないレベルで加速度が緩やかに変化するだけで、モータ制御の切り替えに伴う捩れショックの発生が防止される。
【００８２】
上記のように、実施例１では、モータジェネレータ２の制御を回転数制御からトルク制御に切り替える際、回転数制御とトルク制御のモータトルク差分に対し、加速側専用の変化量制限値と、コースト減速中専用の変化量制限値と、を用意しておく。そして、加速側であるかコースト減速中であるかの判断に基づいて、２つの変化量制限値を使い分ける構成を採用した。
この構成により、コースト減速中は、捩れ振動によるショックの感度が高く、回転数制御からトルク制御に切り替わる際のトルク差分をかなりゆっくりと繋ぐ必要があるが、この要求に応える。一方、加速側は、大きい変化量制限値で遅れ処理を行なうので、レスポンス等の課題も解決される。
したがって、モータジェネレータ２を回転数制御からトルク制御に切り替える際、加速側で切り替えレスポンスの向上を達成しながら、コースト減速中の切り替えに伴う捩れショックの発生が防止される。
【００８３】
［遅れ処理中にバックアップ用変化量制限値への切り替え作用］
上記のように、遅れ処理を行うに際し、大きくかけ離れた値による加速用変化量制限値とコースト用変化量制限値を用意した。このため、処理終了までそれぞれの変化量制限値だけを選択した場合に生じる新たな課題への対策が必要である。以下、これを反映する遅れ処理中にバックアップ用変化量制限値への切り替え作用を、「加速側であるとき」と「コースト減速中であるとき」に分けて説明する。
【００８４】
・加速側であるとき
加速側での遅れ処理中にタイマー時間が加速用タイマー時間Taを超えると、図１０のフローチャートにおいて、ステップＳ２９からステップＳ３０→ステップＳ３１→ステップＳ３２→ステップＳ３３→ステップＳ３５→リターンへと進む流れが繰り返される。つまり、加速側での遅れ処理開始からの経過時間が加速用タイマー時間Taを超えると、加速用変化量制限値の選択からバックアップ用変化量制限値の選択へと切り替えられ、残ったモータトルク差に対しモータトルク変化の遅れ処理が行われる。
【００８５】
すなわち、加速要求に適合する加速用変化量制限値を維持したままで目標モータトルクに到達するまでモータトルク変化の遅れ処理を行うと、図１２の矢印Ａの点線によるモータトルク特性に示すように、オーバーシュートによりモータトルクが目標モータトルクを超えることがある。このモータトルクのオーバーシュートを原因とし、図１２の矢印Ｂの点線による加速度特性に示すように、車両の加速度が突出し、乗員に車両の飛び出し感を与える可能性がある。
【００８６】
これに対し、実施例１では、加速用タイマー時間Taを、モータトルク差分の大きいとき、加速用変化量制限値による遅れ処理により目標モータトルクに到達する前までの時間に設定する。そして、切り替え開始時刻t4から、加速用タイマー時間Taを経過することで時刻t5に到達すると、選択されている加速用変化量制限値よりも小さい値によるバックアップ用変化量制限値の選択へと切り替えられる。よって、図１２の実線によるモータトルク特性に示すように、オーバーシュートによりモータトルクが目標モータトルクを超えることがなく、図１２の実線による加速度特性に示すように、車両の加速度の突出が抑えられる。
【００８７】
・コースト減速中であるとき
コースト減速中での遅れ処理中にタイマー時間がコースト用タイマー時間を超えると、図１０のフローチャートにおいて、ステップＳ２９からステップＳ３０→ステップＳ３１→ステップＳ３２→ステップＳ３３→ステップＳ３５→リターンへと進む流れが繰り返される。つまり、変化量制限値が、コースト用変化量制限値の選択からバックアップ用変化量制限値の選択へと切り替えられ、残ったモータトルク差に対しモータトルク変化の遅れ処理が行われる。
【００８８】
すなわち、コースト用変化量制限値を維持したままで目標モータトルクに到達するまでモータトルク変化の遅れ処理を行うと、図１３の矢印Ｃの点線によるモータトルク特性に示すように、時刻t9にて目標モータトルクに到達する。よって、コースト減速中遅れ処理時間としてTfを要し、回転数制御からトルク制御への切り替えレスポンスの悪化を招く。
【００８９】
これに対し、実施例１では、コースト用タイマー時間Tdを、コースト用変化量制限値による遅れ処理により目標モータトルクに到達する前までの時間であって、加速用タイマー時間Taより長い時間に設定する。そして、切り替え開始時刻t5から、コースト用タイマー時間Tdを経過することで時刻t7に到達すると、選択されているコースト用変化量制限値よりも大きい値によるバックアップ用変化量制限値の選択へと切り替えられる。そして、時刻t8にて目標モータトルクに到達する。よって、コースト減速中遅れ処理時間が、コースト減速中遅れ処理時間Tdとなり、コースト減速中遅れ処理時間Tfに比べて短縮される。
【００９０】
上記のように、実施例１では、コースト用変化量制限値が選択されているとき、所定時間（コースト用タイマー時間Td）を経過すると、コースト用変化量制限値よりも大きい値に設定したバックアップ用変化量制限値に切り替えてモータトルク変化の遅れ処理を行なう構成を採用した。
この構成により、ショックに対して敏感なコースト減速中は、長い時間傾きをゆっくりにし、所定時間を過ぎたら傾きを急にしてトルク制御での目標モータトルクに向かう。
したがって、コースト減速中の遅れ処理において、捩れショックの防止を確保しつつ、回転数制御からトルク制御への切り替えレスポンスが改善される。
【００９１】
実施例１では、バックアップ用変化量制限値を、加速用変化量制限値とコースト用変化量制限値の中間的な値に設定する。そして、加速用変化量制限値が選択されているとき、加速用タイマー時間Taを経過するとバックアップ用変化量制限値に切り替えてモータトルク変化の遅れ処理を行なう。一方、コースト用変化量制限値が選択されているとき、加速用タイマー時間Taより長いコースト用タイマー時間Tdを経過するとバックアップ用変化量制限値に切り替えてモータトルク変化の遅れ処理を行なう構成を採用した。
この構成により、遅れ処理の途中において、加速側とコースト減速中とで異ならせた経過時間により、バックアップ用変化量制限値へ切り替え選択される。
したがって、１つのバックアップ用変化量制限値を用いながらも、加速側での飛び出し感の防止と、コースト減速中における切り替えレスポンスの改善と、が両立される。
【００９２】
［コースト用変化量制限値から加速用変化量制限値への切り替え作用］
上記コースト減速中の遅れ処理は所定時間を要するため、処理途中において、アクセル踏み込みが行われたり、車速の急低下があったりした場合には、これらの状況変化に対応する工夫が必要である。以下、これを反映するコースト用変化量制限値から加速用変化量制限値への切り替え作用を説明する。
【００９３】
まず、コースト減速中で、車速が下限値以上であるときには、図１１のフローチャートにおいて、ステップＳ291→ステップＳ292→ステップＳ293→ステップＳ294→リターンへと進む流れが繰り返され、ステップＳ293にてコースト用変化量制限値が選択される。
【００９４】
このように、コースト用変化量制限値が選択されているとき、ドライバーによりアクセル踏み込み操作が行われると、図１１のフローチャートにおいて、ステップＳ291→ステップＳ295→ステップＳ296→リターンへと進む流れが繰り返され、ステップＳ295にて加速用変化量制限値が選択される。
したがって、コースト減速中の遅れ処理の途中にてアクセル踏み込みが行われると、コースト用変化量制限値から加速用変化量制限値へと変速量制限値が切り替えられる。
【００９５】
一方、コースト用変化量制限値が選択されているとき、車速が低下して下限値未満になると、図１１のフローチャートにおいて、ステップＳ291→ステップＳ292→ステップＳ295→ステップＳ296→リターンへと進む流れが繰り返され、ステップＳ295にて加速用変化量制限値が選択される。
すなわち、車両の急減速により変速処理が遅れ、コーストダウン変速がクリープ領域に突入した場合、コースト用変化量制限値によりトルク勾配が緩い状態を続けると、クリープトルクが出ないため、車両停止時のショックが悪化する。
これに対し、車速が下限値未満になり、クリープ領域まで低下したら、加速用変化量制限値に切り替えることで、クリープトルクを出すことが可能になる。
【００９６】
上記のように、実施例１では、コースト用変化量制限値が選択されているとき、アクセル踏み込み操作が行われると、加速用変化量制限値の選択に切り替える構成を採用した。
この構成により、コースト用変化量制限値が選択されている遅れ処理途中でドライバーによる再踏み込み操作が行われると、加速用変化量制限値に切り替えられる。
したがって、コースト用変化量制限値による遅れ処理途中でアクセル再踏み込み操作が行われたとき、ドライバーの加速要求に応えて回転数制御からトルク制御への切り替えレスポンスが確保される。
【００９７】
上記のように、実施例１では、コースト用変化量制限値が選択されているとき、車速が下限車速未満になると、加速用変化量制限値の選択に切り替える構成を採用した。
この構成により、コーストダウン変速の変速処理が遅れ、車両の急減速により車速がクリープ領域まで低下したとき、コースト用変化量制限値から加速用変化量制限値に切り替えることで、クリープトルクを出すことが可能になる。
したがって、コースト用変化量制限値による遅れ処理途中で車両の急減速により車速がクリープ領域まで低下したとき、車両停止時のショックが低減される。
【００９８】
次に、効果を説明する。
実施例１のハイブリッド車両の制御装置にあっては、下記に列挙する効果を得ることができる。
【００９９】
(1) 走行用駆動源に設けられる電動モータ（モータジェネレータ２）と、
前記電動モータ（モータジェネレータ２）の制御を、制御目標を目標モータ回転数とする回転数制御と、制御目標を目標モータトルクとするトルク制御と、の間で切り替えるモータ制御切り替え手段（図９）と、
前記電動モータ（モータジェネレータ２）の制御を回転数制御からトルク制御に切り替える際、回転数制御の最終モータ出力トルクとトルク制御開始時の目標モータトルクのモータトルク差分に対し、アクセル踏み込みによる加速側では、加速要求に適合する加速用変化量制限値によりモータトルク変化の遅れ処理を行ない、アクセル足離しによるコースト減速中のときには、前記加速用変化量制限値よりも小さい値に設定したコースト用変化量制限値によりモータトルク変化の遅れ処理を行なう遅れ処理手段（図１０，図１１）と、
を備える。
このため、電動モータ（モータジェネレータ２）を回転数制御からトルク制御に切り替える際、加速側で切り替えレスポンスの向上を達成しながら、コースト減速中の切り替えに伴う捩れショックの発生を防止することができるができる。
【０１００】
(2) 前記遅れ処理手段（図１０，図１１）は、少なくとも前記コースト用変化量制限値よりも大きい値に設定したバックアップ用変化量制限値と、を有し、前記コースト用変化量制限値が選択されているとき、所定時間（コースト用タイマー時間Td）を経過すると前記バックアップ用変化量制限値に切り替えてモータトルク変化の遅れ処理を行なう（図１０のステップＳ３３）。
このため、(1)の効果に加え、コースト減速中の遅れ処理において、捩れショックの防止を確保しつつ、回転数制御からトルク制御への切り替えレスポンスを改善することができる。
【０１０１】
(3) 前記遅れ処理手段（図１０，図１１）は、前記バックアップ用変化量制限値を、前記加速用変化量制限値と前記コースト用変化量制限値の中間的な値に設定し、前記加速用変化量制限値が選択されているとき、第１設定時間（加速用タイマー時間Ta）を経過すると前記バックアップ用変化量制限値に切り替えてモータトルク変化の遅れ処理を行ない、前記コースト用変化量制限値が選択されているとき、第１設定時間（加速用タイマー時間Ta）より長い第２設定時間（コースト用タイマー時間Td）を経過すると前記バックアップ用変化量制限値に切り替えてモータトルク変化の遅れ処理を行なう（図１０のステップＳ３３）。
このため、上記(2)の効果に加え、１つのバックアップ用変化量制限値を用いながらも、加速側での飛び出し感の防止と、コースト減速中における切り替えレスポンスの改善と、の両立を図ることができる。
【０１０２】
(4) 前記遅れ処理手段（図１１）は、前記コースト用変化量制限値が選択されているとき、アクセル踏み込み操作が行われると、前記加速用変化量制限値の選択に切り替える（ステップＳ291）。
このため、上記(1)〜(3)の効果に加え、コースト用変化量制限値による遅れ処理途中でアクセル再踏み込み操作が行われたとき、ドライバーの加速要求に応えて回転数制御からトルク制御への切り替えレスポンスを確保することができる。
【０１０３】
(5) 前記遅れ処理手段（図１１）は、前記コースト用変化量制限値が選択されているとき、車速が所定車速（下限値）未満になると、前記加速用変化量制限値の選択に切り替える（ステップＳ292）。
このため、上記(1)〜(4)の効果に加え、コースト用変化量制限値による遅れ処理途中で車両の急減速により車速がクリープ領域まで低下したとき、車両停止時のショックを低減することができる。
【０１０４】
以上、本発明の電動車両の制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【０１０５】
実施例１では、モータジェネレータ２の制御を、回転数制御からトルク制御に切り替える例として、３→２ダウン変速介入により切り替える例を示した。しかし、他のダウン変速介入により切り替える例や、アップ変速介入により切り替える例や、変速介入が無く第２クラッチCL2のスリップ制御の終了により回転数制御からトルク制御に切り替える例であっても良い。要するに、電動モータを回転数制御からトルク制御に切り替える際にモータトルク差分が発生する場合には、本発明を適用できる。
【０１０６】
実施例１では、第２クラッチCL2を、有段式の自動変速機ATに内蔵した摩擦要素の中から選択する例を示した。しかし、自動変速機ATとは別に第２クラッチCL2を設けても良く、例えば、モータ/ジェネレータMGと変速機入力軸との間に自動変速機ATとは別に第２クラッチCL2を設ける例や、変速機出力軸と駆動輪の間に自動変速機ATとは別に第２クラッチCL2を設ける例も含まれる。
【０１０７】
実施例１では、HEVモードとEVモードを切り替えるモード切り替え手段として、第１クラッチ４を用いる例を示した。しかし、HEVモードとEVモードを切り替えるモード切り替え手段としては、例えば、プラネタリギア等のように、クラッチを用いることなくクラッチ機能を発揮するような差動装置や動力分割装置を用いる例としても良い。
【０１０８】
実施例１では、本発明の制御装置をハイブリッド車両に対し適用した例を示した。しかし、走行用駆動源にモータジェネレータを備えた電気自動車や燃料電池車、等の他の電動車両に対しても適用することができる。また、実施例１で示した１モータ・２クラッチのハイブリッド車両以外の駆動系形式によるハイブリッド車両に対しても勿論適用することができる。
【符号の説明】
【０１０９】
１  エンジン
２  モータジェネレータ（電動モータ）
３  自動変速機
４  第１クラッチ
５  第２クラッチ
６  ディファレンシャルギア
７  タイヤ（駆動輪）
８  インバータ
９  バッテリ
１０  エンジン回転センサ
１１  MG回転センサ
１２  AT入力回転センサ
１３  AT出力回転センサ
１４，１５  ソレノイドバルブ
１６  SOCセンサ
１７  アクセル開度センサ
２０  統合コントローラ
２１  エンジンコントローラ
２２  モータコントローラ
２３  ブレーキ油圧センサ
【図１】
0005644548.tif 000002
【図２】
0005644548.tif 000003
【図３】
0005644548.tif 000004
【図４】
0005644548.tif 000005
【図５】
0005644548.tif 000006
【図６】
0005644548.tif 000007
【図７】
0005644548.tif 000008
【図８】
0005644548.tif 000009
【図９】
0005644548.tif 000010
【図１０】
0005644548.tif 000011
【図１１】
0005644548.tif 000012
【図１２】
0005644548.tif 000013
【図１３】
0005644548.tif 000014